(57)【要約】【課題】  使用時のガスバーナへの着火のための種火を不要とするガス流量制御装置を提供する。【解決手段】  フレームセンサ４５の前方には、着火装置４８が設置されている。着火装置４８は、所定の隙間を介して各々の先端が対向するように設置される、一対の点火ロッド７７ａ，７７ｂ設置されており、これらの周りには円筒形のロッドカバー７８が設置されている。尚、ロッドカバー７８の側壁には複数の開口７９が形成されている。使用時にはトーチ２７から噴出された燃焼ガスが着火装置４８の点火ロッド７７ａ，７７ｂのスパークによって着火されて火炎４９が形成される。この火炎４９がフレームロッド４６を通過してアース接続板４７にまで達すると、フレームロッド４６とアース接続板４７との間に微小電流が流れ、これによって、ガスバーナ２４の着火が検知されることになる。【選択図】      図３
0003113426.tif 000002
【実用新案登録請求の範囲】
【請求項１】
ガス流量制御装置であって、
ガスバーナと、
前記ガスバーナに可燃性ガスと支燃性ガスとの混合ガスを供給するガス供給手段と、
前記ガスバーナを取外し及び取付け自在に支持するバーナ支持手段と、
火花を発生する着火手段と、
前記ガスバーナの前記バーナ支持手段からの取外しに応答して、前記ガス供給手段と前記着火手段とを能動化する着火制御手段とを備えた、ガス流量制御装置。
【請求項２】
前記火花による前記バスバーナの着火を検知する検知手段を更に備え、
前記着火手段は前記火花を一定時間のみ発生し、
前記着火制御手段は、前記一定時間の間に前記検知手段による検知がなされない旨の出力に応答して、前記ガス供給手段を非能動化する、請求項１記載のガス流量制御装置。
【請求項３】
前記着火手段と前記検知手段とは隣接して設けられ、
前記着火手段において着火した火炎が前記検知手段に到達するように、前記ガス供給手段による前記混合ガスの供給量を前記着火制御手段は制御する、請求項２記載のガス流量制御装置。
【考案の詳細な説明】
【技術分野】
【０００１】
この考案はガス流量制御装置に関し、特にガスろう付け等に用いられるガスバーナに可燃性ガスと支燃性ガスとを供給するガス流量制御装置に関するものである。
【背景技術】
【０００２】
特許文献１において、アセチレン及び酸素の入口と出口間に各々制御コックを挿入すると共に、この制御コックを火口アームの運動により開閉するように構成したアセチレン溶接装置が開示されている。具体的には、火口アームに火口（ガスバーナ）をかけると、アセチレンガス及び酸素が止まり、火口アームから火口を取り上げると火口に対してアセチレンガスと酸素とが自動供給されるように構成されている。
【０００３】
一方、火口を取り上げると、種火口にアセチレンガスが供給されるとともにイグナイタが作動し、種火が形成される。
【０００４】
これによって、使用時にガスバーナにアセチレンガス及び酸素が自動供給されるため、ガスバーナに種火から着火することによって直ちに使用できる状態となり使い勝手がよい。
【０００５】
【特許文献１】実公昭６３−５０５９３号公報
【考案の開示】
【考案が解決しようとする課題】
【０００６】
上記のような従来の装置では、ガスバーナを取り上げると種火口に可燃性ガスが供給されて種火がイグナイタによって形成されるが、そのために種火口への配管が必要であり、又、可燃性ガスの供給を制御する必要があるため、配管に電磁弁等を設置する必要がある。
【０００７】
更に、種火が形成されている間は、可燃性ガスが消費されることになり、コスト的に好ましいものではない。
【０００８】
この考案は、上記のような課題を解決するためになされたものであり、使用時のガスバーナへの着火のための種火を不要とするガス流量制御装置を提供することを目的とする。
【課題を解決するための手段】
【０００９】
上記の目的を達成するために、請求項１記載の考案は、ガス流量制御装置であって、ガスバーナと、ガスバーナに可燃性ガスと支燃性ガスとの混合ガスを供給するガス供給手段と、ガスバーナを取外し及び取付け自在に支持するバーナ支持手段と、火花を発生する着火手段と、ガスバーナのバーナ支持手段からの取外しに応答して、ガス供給手段と着火手段とを能動化する着火制御手段とを備えたものである。
【００１０】
このように構成すると、ガスバーナを取外すとガスバーナに混合ガスが供給されると共に、火花が発生する。
【００１１】
請求項２記載の考案は、請求項１記載の考案の構成において、火花によるガスバーナの着火を検知する検知手段を更に備え、着火手段は火花を一定時間のみ発生し、着火制御手段は、一定時間の間に検知手段による検知がなされない旨の出力に応答して、ガス供給手段を非能動化するものである。
【００１２】
このように構成すると、取外した後のガスバーナが一定時間内に着火しないと、ガスバーナへのガスの供給が停止される。
【００１３】
請求項３記載の考案は、請求項２記載の考案の構成において、着火手段と検知手段とは隣接して設けられ、着火手段において着火した火炎が検知手段に到達するように、ガス供給手段による混合ガスの供給量を着火制御手段は制御するものである。
【００１４】
このように構成すると、ガスバーナの着火が確実に検知される。
【考案の効果】
【００１５】
以上説明したように、請求項１記載の考案は、ガスバーナを取外すとガスバーナに混合ガスが供給されると共に、火花が発生するので、ガスバーナを着火手段に近づけると種火を必要とすることなく着火する。そのため、種火の形成のための配管や可燃性ガス等が不要となる。
【００１６】
請求項２記載の考案は、請求項１記載の考案の効果に加えて、取外した後のガスバーナが一定時間内に着火しないと、ガスバーナへのガスの供給が停止されるので、装置の安全性が向上する。
【００１７】
請求項３記載の考案は、ガスバーナの着火が確実に検知されるので、装置の信頼性が向上する。
【考案を実施するための最良の形態】
【００１８】
図１は、この考案の第１の実施の形態によるガス流量制御装置の外観を示した図である。
【００１９】
図を参照して、ガス流量制御装置１１は、大きくは制御機構等が組み込まれている本体１２と、本体１２の上面に取付けられた支柱１３と、支柱１３に支持され、各種制御情報等を表示する制御パネル１４とから構成される。本体１２の底部には、アセチレン、プロパン等の可燃性ガス及び支燃性ガスの酸素が接続されている。具体的には酸素のホース１７は本体１２に直接接続され、可燃性ガスのホース１８はべーパーフラックスタンク１９を介して本体１２に接続される。
【００２０】
また本体１２には、ケーブル１６を介してフットスイッチ１５が接続されている。さらに本体１２の上面には、酸素ホース２２及び可燃性ガスホース２３の一方端部が接続され、これらのホースの他方端部は、ガスバーナ２４に接続されている。尚ガスバーナ２４にはフック２５が設けられており、フック２５は制御パネル１４の側面に取付けられているバーナハンガ２６に対して取付け及び取外し自在となっている。バーナハンガ２６はガスバーナ２４が取付けられたときは仮想線で示されているような位置に降下し、使用のためにガスバーナー２４を取り外したときには、実線の位置に上昇し、これによってバーナハンガ２６は、後述するようにガス流量制御装置１１の起動スイッチを構成している。
【００２１】
図２は、図１の制御パネル１４の詳細を示した図であり、図３は、図２におけるＩＩＩ−ＩＩＩラインの拡大断面図である。
【００２２】
これらの図を参照して、制御パネル１４の下部には、ガス流量制御装置の電源を入力するための電源スイッチ３０と、ガスバーナ２４の着火を検知するためのフレーム検知スイッチ３２と、着火装置４８のスパークを起動スイッチとは独立に行うためのスパークスイッチ３３とが設けられている。制御パネル１４の中央左方向には、フットスイッチ１５をＯＮとしていない状態における第１火炎としての酸素の供給量を調整するための酸素第１調整ボリューム３４と、可燃性ガスの供給量を調整するための可燃性ガス第１調整ボリューム３５とが設けられている。一方、制御パネル１４の中央右方向には、フットスイッチ１５がＯＮされたときの状態における第２火炎としての酸素の供給量を調整するための酸素第２調整ボリューム３６と、可燃性ガスの供給量を調整するための可燃性ガス第２調整ボリューム３７とが設けられている。尚これらの調整ボリュームの上方には第１火炎における使用時及び調整時に点灯する第１表示ランプ３８と第２火炎の使用時及び調整時に点灯する第２表示ランプ３９が設けられている。
【００２３】
さらに、制御パネル１４の上方には、火炎の使用時及び調整時における酸素の供給量を表示するための第１表示部４０と、可燃性ガスの供給量を表示するための第２表示部４１とが設けられている。制御パネル１４の上面の背面側には、フレームセンサ４５が取付けられている。フレームセンサ４５は、コード５８を介して接地されているアース接続板４７と、アース接続板４７の前方に所定距離離れて設けられ、コード５７を介して後述するフレーム検知回路に接続する棒状のフレームロッド４６とから構成される。
【００２４】
尚、フレームロッド４６の前方には、着火装置４８が設置されている。着火装置４８は、所定の隙間を介して各々の先端が対向するように設置される、一対の点火ロッド７７ａ，７７ｂ設置されており、これらの周りには円筒形のロッドカバー７８が設置されている。尚、ロッドカバー７８の側壁には複数の開口７９が形成されている。
【００２５】
この着火装置４８からガスバーナ２４に着火させる際の状態として、トーチ２７から噴出された可燃性ガスと支燃性ガスとの混合ガス（燃焼ガス）が着火装置４８の点火ロッド７７ａ，７７ｂのスパーク（火花）によって着火されて形成された火炎４９が、フレームロッド４６を通過してアース接続板４７にまで達した状態が図３に示されている。即ち、後述する流量制御部５１及び流量制御部６１よりなる着火制御手段は、着火された火炎４９がアース接続板４７に到達するように支燃性ガス及び可燃性ガスの各々の供給量を制御する。
【００２６】
このようにしてガスバーナ２４の着火に成功し火炎４９が形成されると、フレームロッド４６とアース接続板４７との間に微小電流が流れ、これによって、ガスバーナ２４の着火が検知されることになる。
【００２７】
図４は、図１のガス流量制御装置の制御構成の概略を示した図である。
【００２８】
図を参照して、酸素は、例えば本出願人による特願平７−１２３４５７号においてガス流量制御回路４２、４３として開示されている、公知のマスフローコントローラーによって構成される流量制御部５１に入力され、流量制御部５１によって所定の流量に制御された酸素は、電磁弁５２を介してガスバーナへ供給される。流量制御部５１には通過流量を算出するための流量算出部５３が接続され、算出された流量は第１表示部４０において表示される。また流量制御部５１には、基準電圧発生回路５４によって発生された基準電圧に基づいて、所望の電圧に調整するための酸素第１調整ボリューム３４及び他の所望の電圧を調整するための酸素第２調整ボリューム３６によって各々設定された電圧を切り換えて、流量制御部５１に印加して制御流量を切り換えるための流量切換回路５５が接続されている。
【００２９】
同様に、バーナ用の可燃性ガスは、公知のマスフローコントローラーからなる流量制御部６１に供給され、制御されて所望の流量となった可燃性ガスは、電磁弁６２を介してガスバーナへ供給される。流量制御部６１にも、上記で示した酸素と同様に、流量算出部６３及び第２表示部４１が接続され、さらに基準電圧発生回路５４の発生電圧に基づいて、所望の電圧に調整するための可燃性ガス第１調整ボリューム３５及び可燃性ガス第２調整ボリューム３７が設けられ、さらに可燃性ガス第１調整ボリューム３５及び可燃性ガス第２調整ボリューム３７によって調整された各々の電圧を切り換えて、可燃性ガスの流量を切り換えるための流量切換回路６４が接続されている。
【００３０】
フレームセンサ４５を構成するアース接続板４７は接地され、フレームロッド４６はフレーム検知回路６８に接続され、フレーム検知回路６８の出力はフレーム検知スイッチ３２のＯＮ端子に接続される。フレーム検知スイッチ３２の出力は、ＡＮＤ回路７３の一方端子に接続される。起動スイッチ３１のＯＮ端子には電源電圧が接続され、その出力はＡＮＤ回路７３の他方端子及びパルス発生回路６９に接続される。パイロット炎スイッチ３３のＯＮ端子には電源電圧が接続され、パイロット炎スイッチ３３のＯＦＦ端子は、パルス発生回路６９に接続される。パイロット炎スイッチ３３の出力は、ガスバーナー２４の着火に用いられる着火装置４８に接続される。
【００３１】
ＡＮＤ回路７３の出力は、電磁弁５２、電磁弁６２及びＡＮＤ回路７２の一方端子に接続される。パルス発生回路６９の出力は同様に電磁弁５２、電磁弁６２及びＡＮＤ回路７２の一方端子に接続される。フットスイッチ１５のＯＮ端子には電源電圧が接続され、足踏みしない通常の状態ではフットスイッチ１５はＯＦＦ状態となっている。フットスイッチ１５の出力は、ＡＮＤ回路７２の他方端子に接続される。ＡＮＤ回路７２の出力は、流量切換回路５５及び流量切換回路６４に接続される。
【００３２】
次に、このガス流量制御装置の動作について説明する。
【００３３】
図４に示されているように、フレーム検知スイッチ３２がＯＮとされ、スパークスイッチ３３がＯＦＦとなっている通常の場合の動作について説明する。
【００３４】
まず電源スイッチがＯＮされると、システムに通電され、装置が制御可能な状態となる。この状態で、ガスバーナ２４を使用すべくバーナハンガ２６から取り外すと、バーナハンガ２６は上方に移動し起動スイッチ３１がＯＮとなる。これによって起動スイッチ３１からのＯＮ信号がＡＮＤ回路７３の他方端子及びパルス発生回路６９に入力される。パルス発生回路６９はこの実施の形態においては、２秒間パルス信号を発生し、これによって電磁弁５２及び電磁弁６２が”開”となり、流量制御部５１及び流量制御部６１においてその流量が制御された酸素及び可燃性ガスがガスバーナ２４に供給される。即ちこの状態で、ガスバーナ２４から可燃性ガスと酸素とが所定量混合された混合（燃焼）ガスが、噴出することになる。
【００３５】
一方、パルス発生回路６９によって出力されたパルス信号は、パイロット炎スイッチ３３を通して、着火装置４８の点火ロッド７７に入力する。これによって点火ロッド７７がスパークして火花が形成される。即ちこの状態では図３に示されているようにた、ガスバーナ２４のトーチ２７を着火装置４８に近づけると噴出された混合ガスがロッドカバー７８の開口７８を通して内部を通過し、点火ロッド７７のスパークによって着火され火炎４９が形成される。
【００３６】
火炎４９がフレームロッド４６を通りアース接続版４７に達すると、フレームロッド４６からアース接続板４７に微少電流が流れる、そのため、フレーム検知回路６８はガスバーナ２４の着火を検知し、ＯＮ信号をフレーム検知スイッチ３２を介してＡＮＤ回路７３の一方端子に出力する。
【００３７】
次に、起動スイッチ３１のＯＮから２秒間が経過してパルス発生回路６９からパルス信号が出力されない状態となっても、ＡＮＤ回路７３からＯＮ信号が電磁弁５２、電磁弁６２及びＡＮＤ回路７２に出力される。そして、電磁弁５２及び電磁弁６２は”開”状態が保持され、酸素及びバーナ用の可燃性ガスは連続して供給され、火炎４９が形成されたガスバーナ２４を継続して使用することができる。尚、起動スイッチ３１がＯＮとなって一定時間内に着火しない場合は、電磁弁５２等は“閉”状態に戻る。
【００３８】
またパルス発生回路６９からパルス信号の出力が停止されると、スパークスイッチ３３を介して着火装置４８にＯＮ信号が出力されなくなり、着火装置４８の点火ロッド７７のスパークが停止される。これによって、従来技術のような無用な種火の継続点火による可燃性ガスの消費を押えることができる。
【００３９】
次にフットスイッチ１５が足踏みよってＯＮ状態となったときの制御について説明する。
【００４０】
フットスイッチ１５がＯＮされ、そのＯＮ信号がＡＮＤ回路７２の他方端子に入力されると、上述のように、ＡＮＤ回路７２の一方端子にはＡＮＤ回路７３からのＯＮ信号が入力されているため、ＡＮＤ回路７２からＯＮ信号が流量切換回路５５及び流量切換回路６４に出力される。これによって、酸素第１調整ボリューム３４によって調整されていた電圧に代わって酸素第２調整ボリューム３６によって調整された電圧が流量制御部５１に印加され、酸素第２調整ボリューム３６によって調整された電圧に対応した通過流量に切り換わる。
【００４１】
同様にバーナ用の可燃性ガスにおいても、フットスイッチ１５のＯＮによって、可燃性ガス第２調整ボリューム３７によって調整された電圧に対応した通過流量に切り換わる。またこの切り換わった酸素及びバーナ用の可燃性ガスの流量が第１表示部４０及び第２表示部４１にそれぞれ表示される。次に足踏みを解除してフットスイッチがＯＦＦとなると流量切換回路５５及び流量切換回路６４にＯＦＦ信号が入力され、酸素第１調整ボリューム３４及び可燃性ガス第１調整ボリューム３５によって調整された電圧に対応した元の通過流量の各々に復帰する。
【００４２】
このようにして、酸素第１調整ボリューム３４によって調整された供給量と酸素第２調整ボリューム３６によって調整された供給量とをフットスイッチ１５のＯＮ，ＯＦＦ操作によって切り換えることができ、また、その切り換えられた流量を第１表示部４０によって確認することができる。さらに、フットスイッチ１５をＯＮにしないときには、酸素第１調整ボリューム３４によって調整された流量は第１表示部４０に逐次表示されるため、この表示の値に基づいて酸素第１調整ボリューム３４を調整すれば良い。またフットスイッチ１５をＯＮした状態においては、酸素第２調整ボリューム３６によって調整された供給流量が逐次第１表示部４０に表示されるため、表示の値に基づいて同様に酸素第２調整ボリューム３６を調整すれば良い。
【００４３】
一方、バーナ用の可燃性ガスに対しても、同様にフットスイッチ１５のＯＮ，ＯＦＦ操作によって第２表示部４１の表示を見ながら、可燃性ガス第１調整ボリューム３５又は可燃性ガス第２調整ボリューム３７の調整を容易にすることができる。これによって第１火炎を構成する酸素の供給量及び可燃性ガスの供給量を各々酸素第１調整ボリューム３４及び可燃性ガス第１調整ボリューム３５によって調整でき、同様に第２の火炎に対して酸素第２調整ボリューム３６及び可燃性ガス第２調整ボリューム３７によって調整することができ、容易に所望の強さの第１火炎及び第２火炎をガスバーナ２４から得ることができる。
【００４４】
図５から図７は、この考案の第１の実施の形態によるガス流量制御装置における各種スイッチ、フレームセンサ、イグナイタ及び各種ガスの動作タイミングの関係を示したタイムチャートである。
【００４５】
図５においては、フレーム検知スイッチ３２がＯＮとされており、フレーム検知回路６８によるガスバーナ２４の着火が所定時間内に検知されたときの関係を示している。即ち、起動スイッチが時刻Ｔ１においてＯＮされると、上述のように時刻Ｔ２までの間、この実施の形態では２秒間着火装置４８の点火ロッド７７がスパークする。また同時に、第１の火炎を構成する可燃性ガス量（１）の可燃性ガス及び酸素量（２）の酸素が供給されている。
【００４６】
この状態で、時刻Ｔ１からＴ２の間にフレーム検知回路６８からフレームセンサ信号が出力されると、上述のように、電磁弁６２及び電磁弁５２が”開”状態が保持され、可燃性ガス量（１）及び酸素量（１）の供給は時刻Ｔ２を過ぎてもその状態が保持される。この状態で、フットスイッチ１５が時刻Ｔ３でＯＮされると、第１の火炎から第２の火炎に切り換わる。即ち可燃性ガス量（１）は第２の火炎を構成する可燃性ガス量（２）に切り換えられ、同様に酸素量（１）も第２火炎を構成する酸素量（２）に切り換わる。そして時刻Ｔ４においてフットスイッチがＯＦＦされると、第２火炎は第１火炎に切り換わり、可燃性ガス及び酸素は可燃性ガス量（１）及び酸素量（１）に戻るように流量制御部６１及び流量制御部５１によって制御される。加熱作業が終了して、時刻Ｔ５においてガスバーナ２４がバーナハンガ２６に取付けられると起動スイッチはＯＮからＯＦＦ状態に変わり、これに応じて電磁弁６２及び電磁弁５２が”閉”となり可燃性ガス量（１）の可燃性ガス及び酸素量（１）の酸素の供給は停止する。
【００４７】
図６は、図５と同様にフレーム検知スイッチ３２がＯＮ状態とされており、起動スイッチがＯＮされた時刻Ｔ１から２秒後の時刻Ｔ２までの間にフレーム検知回路６８によるフレームセンサ信号が出力されなかった場合の状態を示している。
【００４８】
このような状態では時刻Ｔ２において電磁弁６２及び電磁弁５２が”閉”となり、可燃性ガス量（１）の可燃性ガス及び酸素量（１）の酸素は時刻Ｔ２においてその供給が停止される。これによって、着火していないガスバーナ２４への可燃性ガス及び酸素の供給は停止され、その安全性が確保される。
【００４９】
図７は、図４においてフレーム検知スイッチ３２がＯＦＦとされた状態を示した図である。
【００５０】
フレーム検知スイッチ３２がＯＦＦとされていると、常にフレーム検知スイッチ３２からＯＮ信号がＡＮＤ回路７３の他方端子に入力されることになる。従って、電磁弁６２及び電磁弁５２は起動スイッチがＯＮとされたとき即ち時刻Ｔ１から常に”開”状態を保つことになる。そのため、点火ロッド７７の時刻Ｔ２における供給及び動作の停止にかかわらず、可燃性ガス及び酸素は継続してガスバーナ２４に供給されることになる。この状態では図５に示したのと同様に、フットスイッチのＯＮ，ＯＦＦ動作に応じて第１火炎又は第２火炎を構成する可燃性ガス量及び酸素量に各々切り換わることになる。加熱作業が終了してＴ５において起動スイッチがＯＦＦとなると、第１火炎を構成する可燃性ガス及び酸素の供給は停止し、ガスバーナ２４は消火する。
【００５１】
尚、上記の実施の形態では、ガス流量の積算はしていないが、起動スイッチのＯＮからＯＦＦまでの間の流量算出部５３の算出データを積算する積算部を設け、この積算結果を第１表示部４０において随時表示したり、プリンタ等に出力するようにしてもよい。これによって、起動スイッチ３１のＯＮからＯＦＦまでの一つの加熱作業において、どれぐらい可燃性ガスや酸素が消費されたかが把握でき、ガスの消費量の管理に寄与できる。
【００５２】
また上記の実施の形態では、起動スイッチ３１のＯＦＦと同時に可燃性ガス及び酸素の供給を停止しているが、火炎の消火をスムーズにするためには、可燃性ガス及び酸素の供給停止のタイミングをタイマー等を用いることによって起動スイッチ３１のＯＦＦのタイミングより遅らせても良い。この場合、火炎の状況に応じて可燃性ガス及び酸素の何れかを先に供給停止するようにタイマーを設定すればよりスムーズな消火が実現できる。
【００５３】
さらに、上記実施の形態によるガス流量制御装置に接続されるガスバーナはガスろう付け用に用いられているが、ガス溶接、ガス切断用のガスバーナを用いても良いことは言うまでもない。
【００５４】
尚、上記の実施の形態では、フットスイッチによって混合ガスを構成する可燃性ガスと支燃性ガスとの混合比率を変えているが、このようなスイッチは必ずしも必要なものではない。
【００５５】
又、上記の実施の形態では、着火装置として点火ロッドを円筒形のカバーで囲っているが、カバーや円形の開口は他の形状であっても良く、あるいはカバー自体なくても良い。
【００５６】
更に、上記の実施の形態では、着火装置とフレームセンサは制御パネルの上部に設置されているが、他の場所に設置しても良いことは言うまでもない。
【００５７】
更に、上記の実施の形態では、流量制御部によって支燃性ガス及び可燃性ガスの各々の流量を所望の値に制御するように構成されているが、流量制御部を用いることなく各々のガスが所定の流量で供給される装置にも同様に適用できることは言うまでもない。
【図面の簡単な説明】
【００５８】
【図１】この考案の第１の実施の形態によるガス流量制御装置の外観構造を示した図である。
【図２】図１に示された制御パネル１４の詳細構造を示した図である。
【図３】図２のＩＩＩ−ＩＩＩラインの拡大断面図である。
【図４】図１のガス流量制御装置の制御構成の概略を示したブロック図である。
【図５】この考案の第１の実施の形態によるガス流量制御装置において、各種スイッチ及び各種ガス等の動作タイミングを示すタイムチャートであり、フレームセンサ信号が所定時間内に出力された場合の例を示した図である。
【図６】この考案の第１の実施の形態によるガス流量制御装置において、各種スイッチ及び各種ガス等の動作タイミングを示すタイムチャートであり、フレームセンサ信号が所定時間内に出力されなかった場合の例を示した図である。
【図７】この考案の第１の実施の形態によるガス流量制御装置において、各種スイッチ及び各種ガス等の動作タイミングを示すチャートであり、フレーム検知スイッチをＯＦＦとした場合の例を示した図である。
【符号の説明】
【００５９】
１１…ガス流量制御装置
２４…ガスバーナ
２６…バーナハンガー
４５…フレームセンサ
４６…フレームロッド
４７…アース接続板
４８…着火装置
４９…火炎
５１，６１…流量制御部
６９…パルス発生回路
７７…点火ロッド
尚、各図中同一符号は同一又は相当部分を示す。
【図１】
0003113426.tif 000003
【図２】
0003113426.tif 000004
【図３】
0003113426.tif 000005
【図４】
0003113426.tif 000006
【図５】
0003113426.tif 000007
【図６】
0003113426.tif 000008
【図７】
0003113426.tif 000009